(57)【特許請求の範囲】
【請求項１】
遊技機に設けられた電気的作動装置の制御を行うための電子部品を実装した制御回路基板を収納する遊技機の基板ボックスにおいて、
前記基板ボックスを構成する上蓋部材とベース部材とには、当該基板ボックスを閉じた状態において対向状態となる周壁を各々形成し、
前記周壁の所定部位には、前記上蓋部材とベース部材とから各々突出して重合する重合結合部を複数形成して、このうちのいずれか一つの重合結合部に対し締め方向しか回せない締結部材により固着せしめて該ベース部材に対して上蓋部材を開放不能に閉止する不正開放防止結合手段を設け、固着されていない重合結合部は、前記制御回路基板に対する検査終了後に該不正開放防止結合手段により再閉止するためのものとし、
前記上蓋部材には、
前記重合結合部のうち、前記締結部材の締結部が挿入される所定径の通し穴と、該通し穴の上部に該締結部材の頭部を囲う埋め込み穴と、を有する上方結合部と、
前記上蓋部材の周壁部から突出して先端に該上方結合部が形成されるとともに当該基板ボックスを開放する際に切断される連結部と、が形成され、
前記複数の重合結合部のうち前記締結部材により固着された重合結合部に対応する埋め込み穴に、該締結部材の頭部を隠すように結合蓋部材を装着するとともに、固着されていない重合結合部に対応する通し穴に前記再閉止のための該締結部材を仮止めしておくことを特徴とする遊技機の基板ボックス。
【請求項２】
前記締結部材は、締め方向しか回せないワンウェイネジで構成され、
固着されていない重合結合部には、ドライバの差し込み穴を設けた結合蓋部材を装着することを特徴とする請求項１に記載の遊技機の基板ボックス。
【請求項３】
前記基板ボックスを、前記重合結合部が前面枠の開放自由端側となるように該前面枠の裏面に取り付けるようにしたことを特徴とする請求項１又は請求項２に記載の遊技機の基板ボックス。
【請求項４】
前記重合結合部は、当該基板ボックスを前面枠裏面に取り付けた状態において、基板ボックスに収納された制御回路基板により制御される電気的作動装置と配線コード群によりコネクタを介して電気的に接続可能な配線コード群の接続領域に対する配線作業空間と重ならない範囲の基板ボックスの部位に形成したことを特徴とする請求項１から請求項３の何れか一つに記載の遊技機の基板ボックス。
【請求項５】
前記基板ボックスは上蓋側から見て複数の辺部を持ち、そのうち一つの辺部に上蓋部材をベース部材に蝶着可能な蝶着部を設け、他の辺部に上蓋部材をベース部材に係止可能な係止手段を設けて、上蓋部材を開閉可能に形成すると共に、
前記重合結合部を、前記蝶着部を設けない一つの辺部もしくは二つの辺部に形成したことを特徴とする請求項１から請求項４の何れか一つに記載の遊技機の基板ボックス。
【発明の詳細な説明】
【技術分野】
【０００１】
この発明は、遊技機の制御回路基板を収容する基板ボックスに関する。
【背景技術】
【０００２】
従来の遊技機、例えばパチンコ遊技機において、遊技機の裏面側には、遊技機の遊技制御を行う役物制御装置や球排出装置を制御する球排出制御装置等の制御回路をボックス内に収容した基板ボックスが設けられている（例えば、特許文献１参照）。
【０００３】
基板ボックスは、ＩＣ（集積回路）や抵抗等の各種電子部品が多数実装された制御回路基板を樹脂性や金属性のボックスに収容して、ショート等を防いだり、ほこり等のゴミが侵入しないように保護しており、遊技機の本体枠（前面枠）や基枠体としての裏メカベース盤あるいは遊技盤等の裏面に取付け可能となっている。
【０００４】
例えば、役物制御装置においては、制御回路内にＣＰＵ、ＲＯＭ（メモリ）、ＲＡＭ（メモリ）等が設けられており、ＲＯＭに記憶されたプログラムにしたがい遊技制御が行われ、大当たり等もここで制御されている。
【０００５】
基板ボックスは、一般的に上蓋部材とベース部材とを重ね合わせたボックス体になっており、その他の各種装置と電気的に接続するためのコネクタ部がボックスから露出して設けられており、各種配線をコネクタ部に差し込むことにより、それぞれに関わる制御が可能となっている。
【０００６】
基板ボックスに対する不正行為は、上蓋部材をはずして、開放された制御回路基板に備えられたＲＯＭ等の電子部品を交換、あるいはデータの書き換え（例えば、大当たり確率を通常のものより高く設定する等）を行うことにより、通常の遊技制御と比較して、例えば大当たりを頻繁に出現させる等の不正な遊技制御を行うようにしていた。
【０００７】
このため、基板ボックスにおいては、一旦開放されると、開放されたことが分かるように、上蓋部材とベース部材との合わせ目に封印シールを貼ったり、あるいは基板ボックスの表面をクリアな樹脂により形成して、収容されている制御回路基板の状態を外部から見えるようにしていた。
【特許文献１】特開平６−１４２２８３号公報
【発明の開示】
【発明が解決しようとする課題】
【０００８】
しかしながら、従来の基板ボックスは、上蓋部材とベース部材を構造的にビス止めのみで組付けていたため、上蓋部材をはずしてボックス体を開放することは容易であり、上蓋部材とベース部材との合わせ目に封印シールを貼っていたとしても、例えばこれは安易な不正行為者には効果があるが、非常に専門的な不正行為者、例えば偽の封印シールや特殊な剥離材等をもっている者に対しては効果がなくなっているのが実状であった。
【０００９】
これらの不正行為を防止するためには、基板ボックスを開放不可能あるいは開放が非常に困難な構造にすることが考えられるが、遊技店においては、一旦設置した遊技機に対して抜打ち的に公的機関（警察等）により不正基板かどうかの検査が行われる。検査内容としては、ＲＯＭに記憶されているプログラムデータをデータローダにより読み込んで正規なＲＯＭと比較するといった検査が行われ、この場合に前述のごとく基板ボックスの開放が不可能であると、検査ができなくなってしまう。そのため、基板ボックスを破壊して開放することも考えられるが、基板ボックスを破壊してしまうと、検査後に開放不可能な状態に戻して再使用することができなくなってしまう。
【００１０】
そこで、本発明の目的は、制御回路基板を収容した基板ボックスの不正な開放を防止可能とし、検査や修理の際の開放を可能とした上で、遊技店の係員が保守点検時等に基板ボックスの不正な開放の有無を容易に発見できるようにし、しかも基板ボックスの取付作業、取り外し作業および制御回路基板の検査時の開、封作業を容易にして、作業性を向上させる遊技機の基板ボックスを提供することにある。
【課題を解決するための手段】
【００１１】
第１の発明は、遊技機に設けられた電気的作動装置の制御を行うための電子部品を実装した制御回路基板を収納する遊技機の基板ボックスにおいて、前記基板ボックスを構成する上蓋部材とベース部材とには、当該基板ボックスを閉じた状態において対向状態となる周壁を各々形成し、前記周壁の所定部位には、前記上蓋部材とベース部材とから各々突出して重合する重合結合部を複数形成して、このうちのいずれか一つの重合結合部に対し締め方向しか回せない締結部材により固着せしめて該ベース部材に対して上蓋部材を開放不能に閉止する不正開放防止結合手段を設け、固着されていない重合結合部は、前記制御回路基板に対する検査終了後に該不正開放防止結合手段により再閉止するためのものとし、前記上蓋部材には、前記重合結合部のうち、前記締結部材の締結部が挿入される所定径の通し穴と、該通し穴の上部に該締結部材の頭部を囲う埋め込み穴と、を有する上方結合部と、前記上蓋部材の周壁部から突出して先端に該上方結合部が形成されるとともに当該基板ボックスを開放する際に切断される連結部と、が形成され、前記複数の重合結合部のうち前記締結部材により固着された重合結合部に対応する埋め込み穴に、該締結部材の頭部を隠すように結合蓋部材を装着するとともに、固着されていない重合結合部に対応する通し穴に前記再閉止のための該締結部材を仮止めしておくことを特徴とする。
【００１２】
第２の発明は、前記締結部材は、締め方向しか回せないワンウェイネジで構成され、固着されていない重合結合部には、ドライバの差し込み穴を設けた結合蓋部材を装着することを特徴とする。
【００１３】
第３の発明は、前記基板ボックスを、前記重合結合部が前面枠の開放自由端側となるように該前面枠の裏面に取り付けるようにしたことを特徴とする。
【００１４】
第４の発明は、前記重合結合部は、当該基板ボックスを前面枠裏面に取り付けた状態において、基板ボックスに収納された制御回路基板により制御される電気的作動装置と配線コード群によりコネクタを介して電気的に接続可能な配線コード群の接続領域に対する配線作業空間と重ならない範囲の基板ボックスの部位に形成したことを特徴とする。
【００１５】
第５の発明は、前記基板ボックスは上蓋側から見て複数の辺部を持ち、そのうち一つの辺部に上蓋部材をベース部材に蝶着可能な蝶着部を設け、他の辺部に上蓋部材をベース部材に係止可能な係止手段を設けて、上蓋部材を開閉可能に形成すると共に、前記重合結合部を、前記蝶着部を設けない一つの辺部もしくは二つの辺部に形成したことを特徴とする。
【発明の効果】
【００１６】
第１の発明によれば、重合結合部により基板ボックスを破壊せずに開放、閉止でき、制御回路基板の検査も容易に行える。また、制御回路基板に対する不正行為が行われても、不正を容易に発見でき、不正を防止できる。また、固着された重合結合部の締結部材の頭部を結合蓋部材で隠すことができる。また、固着されていない重合結合部の通し穴には締結部材が仮止めされているので、検査終了後はこの仮止めされた締結部材により、重合結合部を固着して、基板ボックスを開放不能に再閉止することができる。
【００１７】
第２の発明によれば、締結部材を仮止め状態で付属させておいて、基板ボックス開放後、新たに閉止するときに、その仮止め状態の締結部材を使って重合結合部を簡単に固着できる。
【００１８】
第３の発明によれば、重合結合部が前面枠の開放自由端側から視認可能な位置、つまり前面枠を僅かでも開くと、重合結合部が係員の目に入るようになり、不正を見つけやすくなる。
【００１９】
第4の発明によれば、重合結合部に配線が絡んだりすることがなく、基板ボックスの遊技機への取付け、取り外しを容易に行えると共に、重合結合部が配線に隠れることがないため、取付けた状態において、重合結合部が見えにくくなることはなく、不正等の確認を行いやすくなる。
【００２０】
第５の発明によれば、蝶着部と係止手段と重合結合部とにより、基板ボックスの閉止を的確に行えると共に、閉止位置が定まるので、重合結合部の切断、固着が行いやすくなり、作業性が向上する。蝶着部により基板ボックスを開放状態に保てるので、遊技機に基板ボックスを設置した状態で制御回路基板のＲＯＭの取付け、取り外しを容易に行える。
【発明を実施するための最良の形態】
【００２１】
以下、本発明の実施の形態を図面に基づいて説明する。
【００２２】
図１は遊技機の一例としてパチンコ遊技機を示しており、１はフレーム内に遊技盤を取付ける前面枠（本体枠とも呼ぶ）、２は前面枠１を支持する外枠である。前面枠１は、外枠２にヒンジ３ａ，３ｂにより開閉可能に組付けられ、その自由端側に施錠フック４ａ，４ｂが設けられる。外枠２は、遊技店の島設備に固定される。
【００２３】
遊技盤は、図示しないが、遊技領域に画像表示装置、変動入賞装置、入賞球センサ、ＬＥＤ、ランプ等の各種電気機器が配設される。
【００２４】
前面枠１には、遊技盤の前面を覆うカバーガラス５が開閉可能に取付けられ、下部には球の供給皿６、受皿７、打球発射装置のハンドル８等が設けられる。
【００２５】
図２はこの遊技機の背面図であり、１０は前面枠１の裏面に取付けられる基枠体（裏メカベース盤）、１１は球貯留タンク、１２は画像表示装置の表示制御装置、１３は球排出装置等を制御する球排出制御装置、１４は変動入賞装置、入賞球センサ、ＬＥＤ、ランプ等の各種電気機器の制御を行うと共に、表示制御装置１２、球排出制御装置１３等に制御信号を送る役物制御装置、１５は役物制御装置１４の基板ボックス、１６は打球発射制御装置である。
【００２６】
基板ボックス１５は、裏メカベース盤１０の表面（遊技機の裏面）に取付けられ、その役物制御装置１４と各種電気機器、各制御装置等とは配線コード群１７〜２０を介して電気的に接続される。
【００２７】
図３は基板ボックス１５の斜視図で、図４は分解斜視図であり、２５はベース部材、２６は上蓋部材、２７は下部保護板、２８は上部保護板、３０は役物制御装置１４の制御回路基板、３１は制御回路基板３０に実装された電子部品のうちのＲＯＭ、３２は制御回路基板３０の一側部に形成された配線コード群の接続領域３３に設けられたコネクタ部である。
【００２８】
遊技プログラムが記憶されたＲＯＭ３１は、制御回路基板３０のほぼ中央に配設される。
【００２９】
ベース部材２５は、透明の樹脂からなり、制御回路基板３０よりもいくらか大きい底部３４には格子状にリブが設けられ、底部３４の四方には高さの低い周壁３５ａ〜３５ｄが形成される。
【００３０】
ベース部材２５の底部３４の２つの隅および周壁３５ａ，３５ｃに沿う所定の位置には、下部保護板２７、制御回路基板３０、上部保護板２８をネジ止めする止着用ボス３６が形成される。制御回路基板３０の配線コード群の接続領域３３側の周壁３５ｄには、その接続領域３３の基板端部の受け（図示しない）が設けられ、底部３４の中央付近には、制御回路基板３０のＲＯＭ３１に対応する位置に、ＲＯＭ３１の着脱時に制御回路基板３０が曲がったりしないように、支えボス３７が設けられる。
【００３１】
上蓋部材２６は、透明の樹脂からなり、制御回路基板３０の配線コード群の接続領域３３を除いて、制御回路基板３０および上部保護板２８を覆うと共に、ベース部材２５の三つの周壁３５ａ〜３５ｃに上蓋部材２６の周壁３８ａ〜３８ｃの先端が合う大きさに形成される。
【００３２】
上蓋部材２６とベース部材２５との間には、周壁３８ａと周壁３５ａとの間に係脱可能な蝶着部４０が設けられ、その反対側の周壁３８ｃと周壁３５ｃとの間に突起４１と門型の係止片４２とからなる係止部４３が設けられる。上蓋部材２６をほぼ全開位置まで開くと蝶着部４０によって上蓋部材２６をベース部材２５から取り外すことが可能であり、上蓋部材２６を閉じると係止部４３によって上蓋部材２６がベース部材２５に係止されると共に、位置決めされる。
【００３３】
上蓋部材２６の天板部４４には、制御回路基板３０の電源部に対応して放熱孔４５が形成される。周壁３８ｂには、制御回路基板３０に配設される遊技機の確率設定器に確率設定キーを差し込んで確率をセットするための穴４６が設けられる。
【００３４】
下部保護板２７は、ベース部材２５側からの静電気等の耐ノイズ用に金属製から形成され、透明のベース部材２５を通して外部から制御回路基板３０を視認可能に多数の六角形の孔が設けられている。制御回路基板３０を視認可能であれば、六角形に限らず、丸型やその他の多角形の孔でも良い。
【００３５】
上部保護板２８は、静電気等の耐ノイズ用に金属製から形成され、透明の上蓋部材２６を通して外部から制御回路基板３０を視認可能に中央部が大きくくりぬかれている。
【００３６】
この基板ボックス１５の上蓋部材２６をベース部材２５に対して閉じたときに対向する周壁のうち、制御回路基板３０の配線コード群の接続領域３３側の周壁３８ｄ，３５ｄおよび蝶着部４０側の周壁３８ａ，３５ａを除く周壁３８ｂ，３５ｂ，３８ｃ，３５ｃの所定の位置に、即ち上蓋部材２６側から見て複数ある辺部のうち、配線コード群の接続領域３３側および着脱部４０側にない二つの辺部の所定の位置に、それぞれ不正開放防止結合手段を構成する複数の重合結合部５０〜５３，５４〜５７が形成される。
【００３７】
重合結合部５０〜５３、５４〜５７は、それぞれ図５のように上蓋部材２６の周壁３８ｂ，３８ｃから突出させた連結部（上方連結部）６０の先端に上方結合部６１が、ベース部材２５の周壁３５ｂ，３５ｃから突出させた連結部（下方連結部）６２の先端に下方結合部６３が形成される。
【００３８】
上方結合部６１には、中央に所定径の通し穴６４が、通し穴６４の上部にワンウェイネジ６５等（締結部材）の頭部を囲う埋め込み穴６６が、下面に通し穴６４の回りに段状の係合突部６７が設けられる。下方結合部６３には、上部に上方結合部６１の係合突部６７が嵌まる係合受部６８が、その中央に上方結合部６１の通し穴６４につながる通し穴６４とほぼ同径の所定深さの穴６９が形成される。上方連結部６０、下方連結部６２は、それぞれニッパ等で切断可能な大きさ、厚さに形成される。
【００３９】
上蓋部材２６をベース部材２５に対して閉じると、図６のように上方結合部６１の係合突部６７が下方結合部６３の係合受部６８に嵌まり、位置決めしながら、上方結合部６１の下面と下方結合部６３の上面が、上方連結部６０の下面と下方連結部６２の上面が当接される。
【００４０】
重合結合部５０〜５３は、上蓋部材２６の周壁３８ｂ、ベース部材２５の周壁３５ｂに沿って１列に形成され、重合結合部５４〜５７は、上蓋部材２６の周壁３８ｃ、ベース部材２５の周壁３５ｃに沿って１列に、この場合周壁３８ｂ、周壁３５ｂに近い側に形成される。
【００４１】
ベース部材２５の周壁３５ａ，３５ｃには取付ボス７２が突設され、その取付ボス７２には裏メカベース盤１０の取付部に設けた掛止具に対するワンタッチ式の止め具７３（図２）が組み込まれる。
【００４２】
次に、基板ボックス１５の組立ておよび遊技機への組付けについて説明する。
【００４３】
ベース部材２５の底部３４に下部保護板２７、制御回路基板３０、上部保護板２８を重ね、ネジにより止着用ボス３６にネジ止めする。
【００４４】
上蓋部材２６の重合結合部５０〜５３、５４〜５７の上方結合部６１の通し穴６４には、それぞれ締め方向しか回せないワンウェイネジ６５を、ワンウェイネジ６５の先端が通し穴６４から下面に出ないように仮止めしておく。
【００４５】
この場合、ワンウェイネジ６５の深さを設定するために、ワンウェイネジ６５を締めるドライバ工具等に締め付け深さを調整するストッパ等の調整機構を設けて、ワンウェイネジ６５を仮止めするようにすると良い。ワンウェイネジ６５を一旦締めると元に戻せないが、このようにすれば、ワンウェイネジ６５を適度な深さに仮止めでき、仮止めを容易に行える。
【００４６】
この上蓋部材２６とベース部材２５との蝶着部４０を掛け合わせ、上蓋部材２６を閉じる。この際、上蓋部材２６とベース部材２５との係止部４３の突起４１が係止片４２に嵌まって、上蓋部材２６がベース部材２５に係止され、位置決めされると共に、重合結合部５０〜５３、５４〜５７の各上方結合部６１の係合突部６７が各下方結合部６３の係合受部６８に嵌まり、それぞれが位置決めしながら、重合する。
【００４７】
この状態にて、重合結合部５０〜５３のうちの一つと、重合結合部５４〜５７のうちの一つとを、それぞれ上方結合部６１に仮止めしてあるワンウェイネジ６５を下方結合部６３まで確実に締めて、結合、固着する。
【００４８】
この場合、重合結合部５０〜５３の配列方向と重合結合部５４〜５７の配列方向とが交差する点に近い順に、重合結合部５０，５４を＃１、重合結合部５１，５５を＃２、重合結合部５２，５６を＃３、重合結合部５３，５７を＃４とすると、＃１の重合結合部５０，５４を結合、固着する。
【００４９】
結合、固着した重合結合部５０，５４の上方結合部６１の埋め込み穴６６には、ワンウェイネジ６５の頭部を隠すように図７のような結合蓋部材７４を装着する。その他の重合結合部５１〜５３，５５〜５７の上方結合部６１の埋め込み穴６６には、ドライバの差し込み穴７６を設けた図８のような仮止め結合蓋部材７５を装着する。なお、埋め込み穴６６には結合蓋部材７４，７５の突起７７に掛止する溝を設けてある。
【００５０】
この後、基板ボックス１５の表面つまり上蓋部材２６の天板部４４の表面には、図３のように透明なシール等に遊技機メーカー名、機種名、電圧、周波数、容量、注意書き等を記載した第１の確認部材８０、ならびに所定のシール等に製造業者記号を含んだ基板管理番号を記載すると共に公的機関が検査の際に基板ボックスを正規に開放したことを証明する記載を可能な欄つまり検査年月日、検査者名、検査印等の検査履歴の記載欄を設けた第２の確認部材８１を取付ける。
【００５１】
第１の確認部材８０は、上蓋部材２６の天板部４４の蝶着部４０側に、第２の確認部材８１は天板部４４の重合結合部５４〜５７に沿う側に、制御回路基板３０のＲＯＭ３１を上蓋部材２６を通して視認できるように、天板部４４のほぼ中央に少なくともＲＯＭ３１の大きさと略同等の面を空けて貼着により取付ける。
【００５２】
この場合、第１の確認部材８０は、樹脂等のプレートに遊技機メーカー名、…、注意書き等を印刷あるいは打刻（成型表示を含む）したものを、上蓋部材２６の天板部４４に接着、あるいは天板部４４に嵌め込み溝等の取付部を形成して、取付けるようにして良い。また、遊技機メーカー名、…、注意書き等を予め天板部４４に打刻するようにしても良い。
【００５３】
第２の確認部材８１は、検査履歴の記載欄等を設けたシールを樹脂等のプレートに貼り付けると共に、上蓋部材２６の天板部４４にそのプレートを着脱できる嵌め込み溝等の取付部を形成して、取付けるようにして良い。また、検査時の開、封の手順等の説明をシールあるいはプレートに印刷あるいは打刻により表記するようにして良い。また、シールを用いる場合、剥がすと痕跡が残る特殊なシールを用いて良い。
【００５４】
また、上蓋部材２６の天板部４４等に、重合結合部５０〜５３，５４〜５７の近傍に、それぞれ重合結合部５０〜５３，５４〜５７に対応して数字等の識別記号を打刻すると共に、その識別記号を第２の確認部材８１の検査履歴の欄に記して、識別記号に第２の確認部材８１の検査履歴の欄が対応するようにして良い。このようにすれば、識別記号を見て、検査履歴、重合結合部の状態を照合でき、正規の重合結合部が固着してあるか、不正に切除してあるかが容易に分かる。
【００５５】
なお、第１の確認部材８０、第２の確認部材８１は、上蓋部材２６の天板部４４の内面に、つまり確認部材８０，８１の表面を天板部４４の表面（外面）に向けて取付けるようにしても良い。この場合、埃等によって確認部材８０，８１が汚れたり、表示が見えにくくなるようなことはなく、また確認部材８０，８１が剥がれたり、傷付いたりするようなこともない。
【００５６】
そして、このように組立てた基板ボックス１５を図２のように遊技機の裏メカベース盤１０の所定の取付位置に取付ける。
【００５７】
基板ボックス１５のベース部材２５を裏メカベース盤１０の所定の取付位置の表面に合わせ、ベース部材２５の取付ボス７２のワンタッチ式の止め具７３を裏メカベース盤１０の所定位置の掛止具に押し込み、固定する。
【００５８】
この場合、図２のように重合結合部５４〜５７が上方に、制御回路基板３０の配線コード群の接続領域３３が球排出制御装置１３側に、重合結合部５０〜５３が裏メカベース盤１０の周縁部につまり遊技機の前面枠１の開閉自由端側にくるように、取付位置を定めている。
【００５９】
この取付後、制御回路基板３０の配線コード群の接続領域３３のコネクタ部３２に、表示制御装置１２、球排出制御装置１３、各種電気機器からの配線コード群１７〜２０のコネクタ端をそれぞれ嵌め込み、接続する。
【００６０】
この際、接続領域３３に対する配線コード群１７〜２０の配線作業空間が重ならない基板ボックス１５の部位に重合結合部５０〜５３、５４〜５７が位置している。即ち、重合結合部５０〜５３は、接続領域３３の反対側にて裏メカベース盤１０の周縁部側に、重合結合部５４〜５７は、接続領域３３から離れ裏メカベース盤１０の周縁部に近い側に位置する。このため、配線コード群１７〜２０を接続領域３３のコネクタ部３２に接続する場合に、重合結合部５０〜５３，５４〜５７に配線が絡まったり、接続した配線が重合結合部５０〜５３，５４〜５７を覆って重合結合部５０〜５３，５４〜５７が隠れたりすることはない。
【００６１】
このように、組立て、組付けを行うのであり、公的機関による基板ボックス１５内の制御回路基板３０のＲＯＭ３１の検査を行うときは、遊技機の裏メカベース盤１０より基板ボックス１５を外して、あるいは裏メカベース盤１０に取付けたまま、基板ボックス１５を開ける。
【００６２】
基板ボックス１５を取り外す際は、まず配線コード群１７〜２０を接続領域３３のコネクタ部３２より外し、ベース部材２５のワンタッチ式の止め具７３を引くと、外せる。このとき、配線作業空間が重合結合部５０〜５３，５４〜５７に重ならないため、重合結合部５０〜５３，５４〜５７に配線が絡まって、取り外しがしにくかったり、配線や重合結合部５０〜５３，５４〜５７を傷つけるようなことはない。
【００６３】
基板ボックス１５を取り外すと、重合結合部５０〜５３，５４〜５７のうち、ワンウェイネジ６５によって固着してある＃１の重合結合部５０，５４の上方連結部６０、下方連結部６２をニッパ等で切断して、その重合結合部５０，５４を取り除く。この場合、上方連結部６０、下方連結部６２の両方を確実に切断する。
【００６４】
＃１の重合結合部５０，５４を除くと、上蓋部材２６は係止部４３によって閉止しているだけのため、係止部４３を外せば、上蓋部材２６が開く。
【００６５】
上蓋部材２６を開くと、制御回路基板３０のＲＯＭ３１を外して検査を行うことになる。
【００６６】
検査を終了すると、ＲＯＭ３１を制御回路基板３０に装着して上蓋部材２６を閉じる。この際、上蓋部材２６が位置決めしながら係止部４３が係止する。同時に、切除していない＃２〜＃４の重合結合部５１〜５３，５５〜５７の各上方結合部６１の係合突部６７が各下方結合部６３の係合受部６８に嵌まり、位置決めする。
【００６７】
この状態にて、＃２の重合結合部５１，５５の上方結合部６１に仮止めしてあるワンウェイネジ６５を下方結合部６３まで締めて、＃２の重合結合部５１，５５を結合、固着する。上蓋部材２６を閉じると、＃２〜＃４の重合結合部５１〜５３，５５〜５７の各上方結合部６１の係合突部６７が各下方結合部６３の係合受部６８に嵌まり、位置決めする。即ち、＃２〜＃４の重合結合部５１〜５３，５５〜５７が確実に重合するため、＃２の重合結合部５１，５５の結合、固着が容易になり、不完全な状態でワンウェイネジ６５を締める心配はない。
【００６８】
この後、上蓋部材２６の天板部４４の第２の確認部材８１の所定欄に、検査担当者が検査年月日、検査者名の記入、検査印等の捺印を行った後、基板ボックス１５を遊技機の裏メカベース盤１０の取付位置に合わせ、ベース部材２５のワンタッチ式の止め具７３を押し込み、取付ける。
【００６９】
取付後は、制御回路基板３０の接続領域３３のコネクタ部３２に配線コード群１７〜２０を接続して完了となる。
【００７０】
また、基板ボックス１５を裏メカベース盤１０に取付けたまま、検査を行う場合は、そのままニッパ等で、重合結合部５０〜５３，５４〜５７のうち、ワンウェイネジ６５によって固着してある＃１の重合結合部５０，５４の上方連結部６０、下方連結部６２をニッパ等で切断して、その重合結合部５０，５４を取り除く。配線コード群１７〜２０が重合結合部５０〜５３，５４〜５７から離れているため、重合結合部５０，５４を切除する際に配線を一緒に切断するようなことはない。
【００７１】
この状態にて、係止部４３を外すと、上蓋部材２６が開き、制御回路基板３０からＲＯＭ３１を外して検査を行う。
【００７２】
検査を終了すれば、ＲＯＭ３１を制御回路基板３０に装着して上蓋部材２６を閉じ、この際係止部４３によって上蓋部材２６は位置決めすると共に、＃２〜＃４の重合結合部５１〜５３，５５〜５７の各上方結合部６１の係合突部６７が各下方結合部６３の係合受部６８に嵌まり、位置決めしながら、＃２〜＃４の重合結合部５１〜５３，５５〜５７が確実に重合するため、上蓋部材２６を閉じると、そのまま＃２の重合結合部５１，５５の上方結合部６１に仮止めしてあるワンウェイネジ６５を下方結合部６３まで締めて、＃２の重合結合部５１，５５を結合、固着する。重合結合部５１，５５は配線コード群１７〜２０から離れているため、その結合、固着を容易に行える。
【００７３】
後は、上蓋部材２６の天板部４４の第２の確認部材８１の所定欄に、検査担当者が検査年月日、検査者名の記入、検査印等の捺印を行えば、完了となる。
【００７４】
一方、不正行為によって、正規に固着してある重合結合部を切除して、基板ボックス１５を開け、制御回路基板３０のＲＯＭ３１を不正なＲＯＭに交換、あるいはＲＯＭ３１のデータを書き換えて、大当たりを頻繁に発生させる等の不正があるが、これは遊技店における遊技機の保守点検時あるいは営業中に遊技機の球詰まり等を直す際等、遊技機の前面枠１を開くと、発見できる。
【００７５】
基板ボックス１５を遊技機の裏面に取付けるため、遊技機の裏側から重合結合部５０〜５３，５４〜５７を確認できると共に、取付状態において図１、図２のように重合結合部５０〜５３が遊技機の前面枠１の開閉自由端側に、重合結合部５４〜５７が基板ボックス１５の上部にあり、また接続領域３３の配線に隠れることがなく、そのため前面枠１を開くと、重合結合部５０〜５３，５４〜５７が係員の目に入り、不正を見付けやすい。特に、遊技機の前面枠１の開閉自由端側にある重合結合部５０〜５３は、前面枠１がわずかでも開くと、係員の目に入るようになる。
【００７６】
この場合、重合結合部が外れていれば、すぐに見付かり、正規に固着してあった重合結合部が切除してあれば、その痕跡が容易に分かる。
【００７７】
基板ボックス１５の上蓋部材２６の天板部４４に貼り付けてある第２の確認部材８１に検査履歴を記載するため、その検査履歴を見て、固着してある重合結合部が正しいものかどうか、不正に切除してあるかどうかの照合を簡単に行え、不正を容易に見付けることができる。
【００７８】
透明の上蓋部材２６の天板部４４に、第１の確認部材８０、第２の確認部材８１を、内部の制御回路基板３０のＲＯＭ３１を視認可能な位置に貼り付けるので、天板部４４を通して制御回路基板３０のＲＯＭ３１の様子を確認することができ、不正なＲＯＭかどうかを確認しやすくなる。そのため、確認部材８０，８１に透明なシール等を用いなくとも良い。
【００７９】
このように、基板ボックス１５を取り外さずに、遊技機の裏側から基板ボックス１５の重合結合部５０〜５３，５４〜５７、および第１の確認部材８０、第２の確認部材８１の記載内容を視認できるのであり、保守点検時、遊技機の球詰まり等を直す際等に、前面枠１を開くと、係員が重合結合部５０〜５３，５４〜５７の状態等を簡単に視認できる。
【００８０】
したがって、重合結合部を切除して基板ボックス１５を開け、制御回路基板３０のＲＯＭ３１を不正に交換する等の不正行為を防止でき、このような不正行為による遊技店の損害を最小限に抑えることができる。
【００８１】
この一方、基板ボックス１５の遊技機への取付け、取り外し時に、重合結合部５０〜５３，５４〜５７に配線が絡んだりすることがないため、その取付け、取り外しが容易であり、また公的機関による検査時に、基板ボックス１５を遊技機から取り外して検査を行う場合、その取り外し、取付け作業が容易であり、検査をスムーズに行える。
【００８２】
基板ボックス１５の上蓋部材２６とベース部材２５とに設けた蝶着部４０と係止部４３とによって、重合結合部を切除する際、あるいは重合結合部のワンウェイネジ６５を締める際に、上蓋部材２６やベース部材２５が動いたりすることはなく、重合結合部の切除、ワンウェイネジ６５の締結を行いやすくなる。
【００８３】
蝶着部４０と係止部４３と、重合結合部５０〜５３，５４〜５７の上方結合部６１と下方結合部６３とに設けた係合部６７，６８とによって、上蓋部材２６を閉じれば、重合結合部５０〜５３，５４〜５７がそれぞれ確実に重合して位置合わせが容易に行え、ワンウェイネジ６５によって該当する重合結合部の結合、固着を確実に行える。
【００８４】
公的機関による検査時に、基板ボックス１５を遊技機から取り外さずに検査を行える。この際、固着してある重合結合部を切除して、係止部４３を外せば、上蓋部材２６が簡単に開くと共に、上蓋部材２６は蝶着部４０によって手前下方に開いた状態を保つので、制御回路基板３０からＲＯＭ３１を簡単に外せる。また、検査終了後にＲＯＭ３１を簡単に装着できる。
【００８５】
したがって、基板ボックス１５の遊技機への取付け、取り外し作業、基板ボックス１５の開放、封印作業、検査作業を容易に行え、作業性の向上を図れる。
【００８６】
なお、重合結合部５０〜５３，５４〜５７の締結部材として、ワンウェイネジ６５を用いたが、リベットを用いても良く、また重合結合部の構造を含め、切断あるいは切除しなければ、基板ボックス１５を開けられないものであれば、何でも良い。
【００８７】
また、基板ボックス１５の上蓋部材２６、ベース部材２５の周壁３８ｂ，３５ｂ，３８ｃ，３５ｃの二カ所に、即ち上蓋部材２６側から見て複数ある辺部のうち二つの辺部に重合結合部５０〜５３，５４〜５７を形成したが、そのうちの一方にのみ形成しても良い。二カ所に重合結合部５０〜５３，５４〜５７を形成すれば、封印効果が高まる他、上蓋部材２６とベース部材２５とをしっかりと閉止することができる。
【００８８】
また、実施の形態では、役物制御装置の基板ボックスに適用した例を示したが、遊技プログラムを記憶したＲＯＭと同じような重要部品を持つものであれば、これに限定することなく適用できる。また、基板ボックスは、一つの役物制御装置だけでなく、球排出制御装置あるいはその他の制御装置を収容するものであって良い。
【００８９】
また、遊技機としてパチンコ遊技機に適用した例を示したが、その他の遊技機、例えばパチスロ、アレンジボール等の遊技機にも適用できる。
【００９０】
なお、特許請求の範囲に記載した以外の本発明の観点の代表的なものとして、次のものがあげられる。
【００９１】
（１）遊技機に設けられる電気的作動装置の制御を行うためにＲＯＭ等の電子部品を実装した制御回路基板を収容する遊技機の基板ボックスにおいて、前記基板ボックスを構成する上蓋部材とベース部材とには、当該基板ボックスを閉じた状態において対向状態となる対向部を形成し、前記対向部の所定部位には、前記上蓋部材とベース部材とから各々突出して重合する重合結合部を複数形成して、このうちのいずれか一つの重合結合部に対し締結部材により固着せしめて開放不能に封印する不正開放防止結合手段を設けており、前記制御回路基板の所定電子部品への検査時等に基板ボックスを開放する際には、締結部材により固着されている重合結合部を切除すると共に、基板ボックスを閉止する際には、切除されていない重合結合部に対し締結部材を固着可能に形成しており、前記複数の重合結合部は、基板ボックスを遊技機の所定位置に取付けた状態において、遊技機裏側から遊技店の係員が視認可能な位置にある、ことを特徴とする遊技機の基板ボックス。
【００９２】
これにより、制御回路基板を収容する基板ボックスの上蓋部材とベース部材との対向している所に形成した複数の重合結合部のうちの一つを締結部材により固着することで、基板ボックスが開放不能に封印され、制御回路基板の所定電子部品への検査時等に基板ボックスを開放する際には、締結部材により固着されている重合結合部が切除され、基板ボックスを閉止する際には、切除されていない重合結合部が締結部材により固着されると共に、これらの重合結合部は、基板ボックスを遊技機の所定位置に取付けた状態において、遊技機裏側から遊技店の係員が視認可能な位置にある。
【００９３】
したがって、重合結合部により基板ボックスを破壊せずに開放、封印できると共に、例えば大当たりを不正に発生させるために、正規に固着してある重合結合部を切除して、基板ボックスを開けてしまい、制御回路基板のＲＯＭを不正なＲＯＭに交換、あるいはＲＯＭのデータを書き換える不正行為が行われることがあっても、これは遊技店における遊技機の保守点検時あるいは営業中に遊技機の球詰まり等を直す際等、遊技機を開くと、重合結合部の状態が係員の視野に入ることから、不正を容易に発見でき、不正を防止できる。
【００９４】
（２）前記重合結合部は、遊技機本体の開閉自由端側から視認可能な位置にある（１）に記載の遊技機の基板ボックス。
【００９５】
これにより、重合結合部が遊技機本体の開閉自由端側から視認可能な位置に、つまり遊技機本体がわずかでも開くと、重合結合部が係員の目に入るようになり、不正を見付けやすい。
【００９６】
（３）前記重合結合部は、基板ボックスを遊技機の所定位置に取付けた状態において、基板ボックスに収容された制御回路基板により制御される電気的作動装置と配線コード群によりコネクタを介して電気的に接続可能な配線コード群の接続領域に対する配線作業空間と重ならない範囲の基板ボックスの部位に形成した（１）に記載の遊技機の基板ボックス。
【００９７】
これにより、重合結合部に配線が絡んだりすることがなく、基板ボックスの遊技機への取付け、取り外しを容易に行えると共に、重合結合部が配線に隠れることがないため、取付けた状態において、重合結合部が見にくくなることはなく、不正等の確認を行いやすい。
【００９８】
（４）前記基板ボックスは上蓋側から見て複数の辺部を持ち、この複数の辺部のうちの一つの辺部もしくは二つの辺部に重合結合部を形成した（１）または（３）に記載の遊技機の基板ボックス。
【００９９】
これにより、重合結合部を基板ボックスの一つの辺部もしくは二つの辺部に形成することにより、基板ボックスの封印を的確に行える。また、二つの辺部に形成した場合、基板ボックスをより確実に閉止でき、不正をより発見しやすくなる。
【０１００】
（５）前記基板ボックスは上蓋側から見て複数の辺部を持ち、そのうち一つの辺部に上蓋部材を蝶着可能な蝶着部を設け、他の辺部に上蓋部材を係止可能な係止手段を設けて、上蓋部材を開閉可能に形成すると共に、重合結合部を、前記蝶着部を設けない一つの辺部もしくは二つの辺部に形成した（１）または（３）に記載の遊技機の基板ボックス。
【０１０１】
これにより、蝶着部と係止手段と重合結合部とにより、基板ボックスの閉止、封印を的確に行えると共に、閉止位置が定まるので、重合結合部の切除、固着を行いやすくなり、作業性が向上する。蝶着部により基板ボックスを開放状態に保てるので、遊技機に基板ボックスを設置した状態で制御回路基板のＲＯＭの取付け、取り外しを容易に行える。
【０１０２】
（６）前記重合結合部は、上蓋部材側に設けられた上方結合部とベース部材側に設けられた下方結合部との間に、係合突部と係合受部からなる位置決め手段を有する（１）〜（５）のいずれか１つに記載の遊技機の基板ボックス。
【０１０３】
これにより、基板ボックスの閉止により、重合結合部が確実に重合するので、締結部材による重合結合部の固着を容易かつ的確に行える。
【０１０４】
（７）前記上蓋部材は、合成樹脂からなる透明部材によって、内部の制御回路基板に実装されている少なくともＲＯＭを視認可能に形成し、当該上蓋部材の外面もしくは内面に、前記ＲＯＭを確認可能に少なくともＲＯＭと略同形面積の領域を残して、機種名等を記した第１の確認部材と、来歴等を記した第２の確認部材とを取付けた（１）〜（６）のいずれか１つに記載の遊技機の基板ボックス。
【０１０５】
これにより、上蓋部材を通して内部の制御回路基板のＲＯＭの様子を視認でき、不正なＲＯＭかどうかを確認しやすい。また、確認部材の記載を基に、固着してある重合結合部が正しいかどうか、不正な切除があるかどうかを照合して、不正があるかどうかを容易に発見することができる。また、確認部材を上蓋部材の内面に取付ければ、確認部材が汚れたり、記載が見えにくくなるようなことはない。
【図面の簡単な説明】
【０１０６】
【図１】遊技機の本体を開いた斜視図である。
【図２】遊技機の背面図である。
【図３】基板ボックスの斜視図である。
【図４】基板ボックスの分解斜視図である。
【図５】重合結合部分の断面図である。
【図６】重合結合部分の結合状態を示す断面図である。
【図７】重合結合部分の結合手順を示す斜視図である。
【図８】重合結合部分の結合手順を示す斜視図である。
【符号の説明】
【０１０７】
１ 前面枠
２ 外枠
３ａ，３ｂ ヒンジ
１０ 基枠体（裏メカベース盤）
１２ 表示制御装置
１３ 球排出制御装置
１４ 役物制御装置
１５ 基板ボックス
１６ 打球発射制御装置
１７〜２０ 配線コード群
２５ ベース部材
２６ 上蓋部材
２７ 下部保護板
２８ 上部保護板
３０ 制御回路基板
３１ ＲＯＭ
３２ コネクタ部
３３ 接続領域
３４ 底部
３５ａ〜３５ｄ 周壁
３６ 止着用ボス
３７ 支えボス
３８ａ〜３８ｄ 周壁
４０ 蝶着部
４１ 突起
４２ 係止片
４３ 係止部
４４ 天板部
４５ 放熱孔
４６ 穴
５０〜５３，５４〜５７ 重合結合部
６０ 上方連結部
６１ 上方結合部
６２ 下方連結部
６３ 下方結合部
６４ 通し穴
６５ ワンウェイネジ
６６ 埋め込み穴
６７ 係合突部
６８ 係合受部
６９ 穴
７２ 取付ボス
７３ 止め具
７４，７５ 結合蓋部材
７６ 差し込み穴
７７ 突起
８０ 第１の確認部材
８１ 第２の確認部材
【図１】
0004427048.tif 000002
【図２】
0004427048.tif 000003
【図３】
0004427048.tif 000004
【図４】
0004427048.tif 000005
【図５】
0004427048.tif 000006
【図６】
0004427048.tif 000007
【図７】
0004427048.tif 000008
【図８】
0004427048.tif 000009